(57)【要約】【課題】収納部に収納された貨幣に係る在高情報が回収先において確実に利用されることを可能にし、且つ、装置のコスト増加やサイズ増加を招きにくい貨幣処理装置を提供する。【解決手段】硬貨処理装置１は、貨幣が投入される投入部と、硬貨が収納される収納袋１６と、投入部に投入された硬貨を収納袋１６へ搬送する搬送部と、収納袋１６が取り外し可能に装着される装着部１７と、プリンタ２４とを備える。プリンタ２４は、収納袋１６に収納された貨幣の在高情報をレシート用紙に印字する印字ユニットと、在高情報が印字されたレシート用紙を、装着部１７に装着された収納袋１６の中に排出させる排出口２４ｃと、を備える。【選択図】図１
2020057234.tif 000002
【特許請求の範囲】
【請求項１】
貨幣が投入される投入部と、
貨幣が収納される収納部と、
前記投入部に投入された貨幣を前記収納部へ搬送する搬送部と、
前記収納部が取り外し可能に装着される装着部と、
前記収納部に収納された貨幣の在高情報を印字用紙に印字する印字部と、
前記在高情報が印字された前記印字用紙を、前記装着部に装着された前記収納部の中に排出させる排出部と、
を備えることを特徴とする貨幣処理装置。
【請求項２】
前記排出部は、前記装着部において開口する前記収納部の収納口の真上の位置に配置される排出口である、
ことを特徴とする請求項１に記載の貨幣処理装置。
【請求項３】
前記印字部は、前記装着部の近傍の上方位置に設けられる、
ことを特徴とする請求項１または２に記載の貨幣処理装置。
【請求項４】
貨幣が収納された前記収納部の収納口を封止する封止部と、
前記封止部を制御する制御部と、をさらに備え、
前記制御部は、前記印字用紙が前記収納部に排出された後に、前記封止部に前記収納口を封止させる、
ことを特徴とする請求項１ないし３の何れか一項に記載の貨幣処理装置。
【請求項５】
前記収納部は、貨幣が収納される貨幣収納部と、前記印字用紙が収納される用紙収納部とを有する、
ことを特徴とする請求項１ないし４の何れか一項に記載の貨幣処理装置。
【請求項６】
貨幣が投入される投入部と、
貨幣が収納される収納部と、
前記投入部に投入された貨幣を前記収納部へ搬送する搬送部と、
前記収納部が取り外し可能に装着される装着部と、
前記収納部に収納された貨幣の在高情報を印字用紙に印字する印字部と、
前記在高情報が印字された前記印字用紙を、前記装着部に装着された前記収納部の中に排出させる排出部と、
を備えることを特徴とする貨幣処理システム。
【発明の詳細な説明】
【技術分野】
【０００１】
本発明は、硬貨、紙幣等の貨幣を処理する貨幣処理装置および貨幣処理システムに関し、特に、貨幣が収納された後に回収される収納袋等の収納部が装着可能な貨幣処理装置および貨幣処理システムに関する。
【背景技術】
【０００２】
従来、パウチ袋等の収納袋が装着される装着部を備え、回収される紙幣が収納袋に収納される紙幣処理機において、収納袋に収納された紙幣に係る情報、たとえば、紙幣の枚数や金額を、印字部材（プリンタ）によって収納袋自身に印字するようにしたものが、特許文献１に記載されている。
【０００３】
収納袋は回収された後に回収先の施設で開封され、収納袋から紙幣が取り出される。回収先の作業員は、取り出した紙幣を計数する際、収納袋に表示された在高情報を参照することができる。在高情報が印字されたレシートを、収納袋に対応付けて保持しておく場合には、レシートを紛失することで在高情報が参照できなくなる懸念があるが、上記の構成では、在高情報が収納袋に直接印字されるので、レシートを用いる場合と違って、在高情報が参照できなくなることが生じにくい。
【先行技術文献】
【特許文献】
【０００４】
【特許文献１】特開２０１８−０１０５０８号公報
【発明の概要】
【発明が解決しようとする課題】
【０００５】
枚数、金額等の情報を立体物である収納袋に直接印字することは技術的に難易度が高い。このため、上記の紙幣処理機では、プリンタ等、情報の印字に関わる部分の構造が複雑になりやすく、装置のコスト増加やサイズ増加を招きやすい。
【０００６】
かかる課題に鑑み、本発明は、収納部に収納された貨幣に係る在高情報が回収先において確実に利用されることを可能にし、且つ、装置のコスト増加やサイズ増加を招きにくい貨幣処理装置および貨幣処理システムを提供することを目的とする。
【課題を解決するための手段】
【０００７】
本発明の第１の態様は、貨幣処理装置に関する。本態様に係る貨幣処理装置は、貨幣が投入される投入部と、貨幣が収納される収納部と、前記投入部に投入された貨幣を前記収納部へ搬送する搬送部と、前記収納部が取り外し可能に装着される装着部と、前記収納部に収納された貨幣の在高情報を印字用紙に印字する印字部と、前記在高情報が印字された前記印字用紙を、前記装着部に装着された前記収納部の中に排出させる排出部と、を備える。
【０００８】
たとえば、前記排出部は、前記装着部において開口する前記収納部の収納口の真上の位置に配置される排出口である。
【０００９】
上記の構成によれば、収納部の回収先において、作業員が、収納部に収納された印字用紙を取り出し、それに印字された在高情報を見ることで、収納された硬貨の在高を把握できる。しかも、平面体である印字用紙に在高情報が印字されるので、立体物である収納部に在高情報が直接印字される場合と違って、技術的な難易度は高くなく、印字部の構造が複雑にならない。よって、貨幣処理装置のコスト増加やサイズ増加を招きにくい。
【００１０】
本態様に係る貨幣処理装置において、前記印字部は、前記装着部の近傍の上方位置に設けられ得る。
【００１１】
上記の構成によれば、収納部までの排出部を通じた印字用紙の排出経路を短くできるので、印字用紙が排出経路の途中で詰まる等の排出不良が生じにくい。
【００１２】
本態様に係る貨幣処理装置において、貨幣が収納された前記収納部の収納口を封止する封止部と、前記封止部を制御する制御部と、をさらに備えるような構成が採られ得る。この場合、前記制御部は、前記印字用紙が前記収納部に排出された後に、前記封止部に前記収納口を封止させる。
【００１３】
上記の構成によれば、収納部に貨幣が収納された後に、封止部によって収納部の収納口が封止されるので、収納部から貨幣が不所望に取り出されにくくなる。しかも、収納部の中に印字用紙が収納された後に収納口が封止されるので、印字用紙を収納袋部の中へ確実に収納させることができ、また、収納部の中の印字用紙が不所望に取り出されにくくなる。
【００１４】
本態様に係る貨幣処理装置において、前記収納部は、貨幣が収納される貨幣収納部と、前記印字用紙が収納される用紙収納部とを有するような構成とされ得る。
【００１５】
上記の構成によれば、収納部の内部において、印字用紙が硬貨と分かれて収納されるので、印字用紙が硬貨の中に埋もれて見つかりにくくなったり、印字用紙が硬貨に揉まれ、破損や印字のかすれ等が生じたりする、ということが防止される。
【００１６】
本発明の第２の態様は、貨幣処理システムに関する。本態様に係る貨幣処理システムは、貨幣が投入される投入部と、貨幣が収納される収納部と、前記投入部に投入された貨幣を前記収納部へ搬送する搬送部と、前記収納部が取り外し可能に装着される装着部と、前記収納部に収納された貨幣の在高情報を印字用紙に印字する印字部と、前記在高情報が印字された前記印字用紙を、前記装着部に装着された前記収納部の中に排出させる排出部と、を備える。
【００１７】
上記の構成によれば、第１の態様と同様の効果が奏され得る。
【発明の効果】
【００１８】
上記のように、本発明によれば、収納部に収納された貨幣に係る在高情報が回収先において確実に利用されることを可能にし、且つ、装置のコスト増加やサイズ増加を招きにくい貨幣処理装置および貨幣処理システムを提供できる。
【００１９】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２０】
【図１】図１は、実施形態に係る、硬貨処理装置の外観を示す斜視図である。
【図２】図２は、実施形態に係る、硬貨処理装置の内部の構成を示す平面図である。
【図３】図３は、実施形態に係る、装着部を構成する上保持部の斜視図である。
【図４】図４は、実施形態に係る、収納袋の構成を示す斜視図である。
【図５】図５は、実施形態に係る、プリンタの構成を示す概略図である。
【図６】図６は、実施形態に係る、硬貨処理装置の構成を示すブロック図である。
【図７】図７（ａ）は、実施形態に係る、計数モードの処理に係る制御動作を示すフローチャートである。図７（ｂ）は、実施形態に係る、在高情報等の情報が印字されたレシートの一例を示す図である。
【図８】図８（ａ）〜（ｅ）は、実施形態に係る、計数モードの処理の流れについて説明するための図である。
【図９】図９（ａ）は、変更例１に係る、収納袋の構成を示す斜視図である。図９（ｂ）は、変更例１に係る、計数モードの処理において、収納袋のレシート収納部にレシートが収納された状態を示す図である。
【図１０】図１０は、その他の変更例に係る、在高情報等の情報が印字されたレシートの一例を示す図である。
【発明を実施するための形態】
【００２１】
以下、本発明の貨幣処理装置の一実施形態である硬貨処理装置１について、図面を参照して説明する。
【００２２】
本実施形態において、収納袋１６が、特許請求の範囲に記載の「収納部」に対応する。また、排出口２４ｃが、特許請求の範囲に記載の「排出部」に対応する。さらに、封止機構１１０が、特許請求の範囲に記載の「封止部」に対応する。さらに、レシート用紙３１０が、特許請求の範囲に記載の「印字用紙」に対応する。さらに、印字ユニット３２０が、特許請求の範囲に記載の「印字部」に対応する。
【００２３】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２４】
図１は、硬貨処理装置１の外観を示す斜視図である。図１では、装着部１７が引き出された状態の硬貨処理装置１が示されている。
【００２５】
硬貨処理装置１は、いわゆる硬貨計数機であり、投入された硬貨の金種を識別し、金種に応じた金種別硬貨収納箱１３に硬貨を収納する選別モードの処理と、投入された硬貨を識別して計数し収納袋１６に収納する計数モードの処理とを行う。
【００２６】
図１に示すように、硬貨処理装置１は、ほぼ直方体状の筐体１０を備える。筐体１０の天面には、中央部に硬貨の投入口であるホッパー１１が設けられる。ホッパー１１は蓋１２で覆われており、ホッパー１１に硬貨が投入される際に蓋１２が開放される。
【００２７】
筐体１０内の前部には、６つの金種別硬貨収納箱１３が、左右方向に並ぶように配置されている。各金種別硬貨収納箱１３は上面が開口する。６つの金種別硬貨収納箱１３は、右側から順に、１円硬貨が収納される１円収納箱１３ａ、５０円硬貨が収納される５０円収納箱１３ｂ、５円硬貨が収納される５円収納箱１３ｃ、１００円硬貨が収納される１００円収納箱１３ｄ、１０円硬貨が収納される１０円収納箱１３ｅ、５００円硬貨が収納される５００円収納箱１３ｆとされる。６つの金種別硬貨収納箱１３は、筐体１０の左端部の位置から中央部よりもやや右側の位置に掛けて配置される。
【００２８】
６つの金種別硬貨収納箱１３の前方は、扉１４により覆われる。扉１４は前方に倒すようにして開くことができ、扉１４が開かれると６つの金種別硬貨収納箱１３が外部に露出する。この状態で各金種別硬貨収納箱１３を前方へ引き出すことができ、その中に収納された硬貨を取り出すことができる。
【００２９】
筐体１０内の前部には、６つの金種別硬貨収納箱１３の右方に、前面が開口する収容部１５が設けられる。収容部１５内には、収納袋１６が装着される装着部１７が収容される。収納袋１６には硬貨が収納される。装着部１７は、収納袋１６の上部を保持する上保持部１８と、方形の板状に形成され、収納袋１６の底面を保持する下保持部１９とを含む。装着部１７の後部において、上保持部１８と下保持部１９との間が、方形の板状を有する連結部２０により連結される。上保持部１８には、封止機構（後述する）が含まれる。収納袋１６に硬貨が収納された後、封止機構によって収納袋１６の収納口が封じられる（パウチされる）。
【００３０】
装着部１７は、収容部１５に収容された状態において、その前部が筐体１０の前面よりも前方へ張り出す。筐体１０には、収容部１５から前方に張り出すように装着部カバー２１が設けられており、装着部１７の上保持部１８が、上側と左右両側から装着部カバー２１に覆われる。上保持部１８の前側には扉２２が取り付けられており、装着部カバー２１の前面の開口２１ａが扉２２で塞がれる。扉２２の下端部には、取っ手２２ａが設けられる。
【００３１】
操作者が取っ手２２ａを持って扉２２を前方に移動させると、図１のように、装着部１７が前方に引き出される。装着部１７全体が収容部１５よりも前に出た状態となり、装着部１７の上保持部１８の大部分が外部に露出した状態となる。装着部１７が前方に引き出される際、上保持部１８の両側が、装着部カバー２１の内側に設けられたレール２３により案内される。装着部１７が前方に引き出されると、装着部１７への収納袋１６の装着が可能となり、また、装着部１７からの収納袋１６の取り外しが可能となる。
【００３２】
装着部カバー２１の上にはプリンタ２４が設けられる。プリンタ２４の筐体２４ａは、筐体１０および装着部カバー２１と一体的に形成され、装着部カバー２１が筐体２４ａの底面を兼ねる。プリンタ２４は、筐体２４ａ内にレシート用紙（後述する）に印字を行うための印字ユニット（後述する）を有する。筐体２４ａの上面には開口が設けられ、この開口が蓋２４ｂで覆われる。印字ユニットにレシート用紙がセットされる際に蓋２４ｂが開放される。筐体２４ａの底面には、後端部にレシート用紙の排出口２４ｃが形成される。
【００３３】
筐体１０の天面には、ホッパー１１の右方に表示部２５と操作部２６が設けられる。表示部２５は、液晶パネル等で構成され、硬貨の計数結果（枚数、金額）等の情報を表示する。操作部２６は、モード選択ボタン２６ａ、スタートボタン２６ｂ、完了ボタン２６ｃ等の各種の操作ボタンを含む。モード選択ボタン２６ａは、選別モードおよび計数モードの何れかのモードを選択するためのボタンである、スタートボタン２６ｂは、選択されたモードの処理を開始させるためのボタンである。完了ボタン２６ｃは、計数モードにおいて、処理を完了して良いことを指示するためのボタンである。
【００３４】
図２は、硬貨処理装置１の内部の構成を示す平面図である。
【００３５】
筐体１０内には、６つの金種別硬貨収納箱１３および装着部１７よりも上側に、投入部２７、搬送部２８および識別部２９が配置される。
【００３６】
投入部２７は、ホッパー１１の下方に配置され、回転円盤３０と、回転円盤３０を囲む円環状の周壁３１とを含む。周壁３１には、筐体１０の右側面と対向する一部分が切り欠かれることにより、硬貨の出口３２が形成される。投入部２７には、出口３２の近傍であって回転円盤３０の上方に、規制部材３３が配置される。回転円盤３０と規制部材３３との間には、硬貨の厚みより僅かに大きな隙間が形成される。
【００３７】
投入部２７には、ホッパー１１を通じて硬貨が投入される。投入された硬貨は、回転円盤３０上に載せられる。回転円盤３０が上方から見て右方向に回転すると、回転円盤３０上の硬貨が、遠心力によって周壁３１側へと移動して出口３２から排出される。このとき、回転円盤３０と規制部材３３との隙間を硬貨が通ることで、硬貨が複数枚の重なった状態で排出されることが防止される。よって、投入部２７の出口３２からは、硬貨が一枚ずつ排出される。
【００３８】
搬送部２８は、投入部２７から排出された硬貨を、６つの金種別硬貨収納箱１３と装着部１７に装着された収納袋１６へ選択的に搬送する。搬送部２８は、搬送通路部３４と、第１搬送ベルト機構３５と、第２搬送ベルト機構３６と、第１振分機構３７と、第２振分機構３８と、開閉板３９とを備える。
【００３９】
搬送通路部３４は、硬貨が移動する搬送通路４０を有する。搬送通路４０は、筐体１０の右側面と前面とに沿うＬ字状の通路底板４１の上面に、通路底板４１の外縁側に沿うＬ字状の外側通路部材４２と通路底板４１の内縁側に沿うＬ字状の内側通路部材４３とが配置されることにより、外側通路部材４２と内側通路部材４３の間に形成される。搬送通路４０は、投入部２７の出口３２に繋がり、出口３２から筐体１０の前面近傍へと延びる第１通路４０ａと、第１通路４０ａに続き、左側へ湾曲する第２通路４０ｂと、第２通路４０ｂに続き、筐体１０の前面に沿って筐体１０の左側面近傍へと延びる第３通路４０ｃとで構成される。第１通路４０ａおよび第２通路４０ｂは、外側通路部材４２と内側通路部材４３とで挟まれ、サイズの最も大きな５００円硬貨より僅かに大きな幅を有する。一方、第３通路４０ｃの位置には、内側通路部材４３が配置されておらず、第３通路４０ｃは、外側通路部材４２と反対側が開放されている。
【００４０】
第１搬送ベルト機構３５は、第１通路４０ａと第２通路４０ｂの上方に設けられる。第１搬送ベルト機構３５は、第１通路４０ａにおける投入部２７の出口３２の近傍に配置された第１プーリ４４と、第２通路４０ｂに配置された第２プーリ４５と、第１プーリ４４と第２プーリ４５との間に架け渡された搬送ベルト４６を含む。搬送ベルト４６が周回すると、投入部２７から排出された硬貨が、搬送ベルト４６と第１通路４０ａの底面に挟まれるようにして第１通路４０ａを移動し、第２通路４０ｂへと至る。
【００４１】
第２搬送ベルト機構３６は、第２通路４０ｂと第３通路４０ｃの上方に設けられる。第２搬送ベルト機構３６は、第２通路４０ｂに配置された第１プーリ４７と、第３通路４０ｃの左端に配置された第２プーリ４８と、第１プーリ４７と第２プーリ４８との間に架け渡された２本の搬送ベルト４９を含む。搬送ベルト４９が周回すると、第２通路４０ｂに至った硬貨が、搬送ベルト４９と第２通路４０ｂの底面に挟まれるようにして第２通路４０ｂを移動し、さらに、搬送ベルト４９と第３通路４０ｃの底面に挟まれるようにして第３通路４０ｃを移動する。
【００４２】
第１搬送ベルト機構３５および第２搬送ベルト機構３６によって搬送通路４０を搬送される硬貨は、外側通路部材４２の壁面４２ａに接触し、壁面４２ａに沿うようにして移動する。
【００４３】
第１通路４０ａには、長円状のリジェクト孔５０が形成される。外側通路部材４２の壁面４２ａからリジェクト孔５０における壁面４２ａから遠い縁までの寸法は、サイズが最も小さな１円硬貨の径よりも小さくされる。このため、第１通路４０ａを壁面４２ａに沿って移動する硬貨は、通常、リジェクト孔５０を跨ぐようにして通過する。
【００４４】
硬貨をリジェクト孔５０に導くため、搬送部２８には、リジェクト孔５０に対応して第１振分機構３７が設けられる。第１振分機構３７は、レバー５１と、レバー５１の一端に回転自在に取り付けられたローラ５２とを含む。レバー５１は、その他端に支点５１ａを有し、支点５１ａを中心に回動できるよう外側通路部材４２に取り付けられる。外側通路部材４２には、リジェクト孔５０の近傍に凹部４２ｂが形成され、この凹部４２ｂにローラ５２が収容される。
【００４５】
第１通路４０ａにはリジェクト孔５０の直前に硬貨の通過を検知する通過検知センサ５３が配置される。正常な硬貨でないリジェクト硬貨の通過を通過検知センサ５３が検知すると、レバー５１が上方から見て左方向に回動し、ローラ５２が第１通路４０ａ内へ進出する。外側通路部材４２の壁面４２ａに沿って移動してきたリジェクト硬貨は、ローラ５２によってリジェクト孔５０側に押され、リジェクト孔５０を跨ぐことができず、傾くようにしてリジェクト孔５０に落下する。リジェクト孔５０に落下したリジェクト硬貨は、シュート（図示せず）を通ってリジェクト硬貨収納箱（図示せず）に収納される。
【００４６】
第２通路４０ｂには、その底面を構成する通路底板４１に、方形状の選別口５４が形成される。選別口５４は、開閉板３９により塞がれる。開閉板３９の上を硬貨が移動できるように、開閉板３９の表面は通路底板４１の表面と面一となっている。開閉板３９は、その一端側に設けられた軸３９ａを中心に下方に回動できる。開閉板３９が下方に回動されると、選別口５４が開かれる。選別口５４が開かれた場合、第２通路４０ｂへ至った硬貨が選別口５４へ落下する。選別口５４に落下した硬貨は、シュート（図示せず）を通り、装着部１７に装着された収納袋１６に収納される。
【００４７】
第３通路４０ｃには、６つの選別孔５５が形成される。６つの選別孔５５は、右から順に、１円選別孔５５ａ、５０円選別孔５５ｂ、５円選別孔５５ｃ、１００円選別孔５５ｄ、１０円選別孔５５ｅ、５００円選別孔５５ｆとされ、それぞれ位置が、１円収納箱１３ａ、５０円収納箱１３ｂ、５円収納箱１３ｃ、１００円収納箱１３ｄ、１０円収納箱１３ｅ、５００円収納箱１３ｆの位置に対応する。１円選別孔５５ａ、５０円選別孔５５ｂ、５円選別孔５５ｃ、１００円選別孔５５ｄ、１０円選別孔５５ｅは長円形状を有し、５００円選別孔５５ｆは方形状を有する。
【００４８】
硬貨は、サイズが小さい順に、１円、５０円、５円、１００円、１０円、５００円となる。外側通路部材４２の壁面４２ａから各選別孔５５における壁面４２ａから遠い縁までの寸法は、１円選別孔５５ａでは１円硬貨の径より大きく５０円硬貨の径より小さくされており、５０円選別孔５５ｂでは５０円硬貨の径より大きく５円硬貨の径より小さくされており、１００円選別孔５５ｄでは１００円硬貨の径より大きく１０円硬貨の径より小さくされており、１０円選別孔５５ｅでは１０円硬貨の径より大きく５００円硬貨の径より小さくされており、５００円選別孔５５ｆでは５００円硬貨の径より大きくされている。このため、第３通路４０ｃを外側通路部材４２の壁面４２ａに沿って移動する５円以外の各金種の硬貨は、それぞれに対応する選別孔５５へ至ったときに、その選別孔５５を跨ぐことができず、傾くようにしてその選別孔５５に落下する。各選別孔５５に落下した硬貨は、シュート（図示せず）を通って、その選別孔５５に対応する金種別硬貨収納箱１３に収納される。
【００４９】
一方、５円選別孔５５ｃでは、上記の寸法が５円硬貨の径よりも小さくされている。これは、５円硬貨と１００円硬貨では径の差が小さいため、上記の寸法を５円硬貨の径より大きく１００円硬貨の径より小さくすると、誤って５円選別孔５５ｃに１００円硬貨が落下しやすいためである。よって、５円硬貨を５円選別孔５５ｃに強制的に落下させることができるように、搬送部２８には、５円選別孔５５ｃに対応して第２振分機構３８が設けられる。
【００５０】
第２振分機構３８は、レバー５６と、レバー５６の一端に回転自在に取り付けられたローラ５７とを含む。レバー５６は、その他端に支点５６ａを有し、支点５６ａを中心に回動できるよう外側通路部材４２に取り付けられる。外側通路部材４２には、５円選別孔５５ｃの近傍に凹部４２ｃが形成され、この凹部４２ｃにローラ５７が収容される。
【００５１】
第３通路４０ｃには、５円選別孔５５ｃの直前に硬貨の通過を検知する通過検知センサ５８が配置される。５円硬貨の通過を通過検知センサ５８が検知すると、レバー５６が上方から見て右方向に回動し、ローラ５７が第３通路４０ｃ内へ進出する。外側通路部材４２の壁面４２ａに沿って移動してきた５円硬貨は、ローラ５７によって５円選別孔５５ｃ側に押され、５円選別孔５５ｃを跨ぐことができず、傾くようにして５円選別孔５５ｃに落下する。５円選別孔５５ｃに落下した硬貨は、シュート（図示せず）を通って、５円収納箱１３ｃに収納される。
【００５２】
搬送通路４０（第１通路４０ａ）における、リジェクト孔５０よりも硬貨の流れの上流側に識別部２９が配置される。識別部２９は、磁気センサ５９と一対のイメージセンサ６０を含み、搬送通路４０を搬送される硬貨の正損、真偽、金種等を識別する。また、識別部２９は硬貨の計数を行う。
【００５３】
選別モードでは、投入部２７から硬貨が一枚ずつ搬送通路４０に排出される。排出された硬貨は、第１通路４０ａを搬送されて識別部２９で識別および計数される。第２通路４０ｂの選別口５４は閉じられており、硬貨が第２通路４０ｂを通過できる状態にある。識別部２９により正常と識別された硬貨は、第３通路４０ｃまで搬送され、６つの選別孔５５により選別されて、その金種に対応する金種別硬貨収納箱１３に収納される。一方、識別部２９により正常でないと識別された硬貨、即ちリジェクト硬貨は、第１振分機構３７によりリジェクト孔５０へと送られ、リジェクト硬貨収納箱に収納される。なお、識別部２９では、リジェクト硬貨の計数は行われない。
【００５４】
計数モードでは、投入部２７から排出された硬貨が識別部２９で識別および計数され、その結果、正常と識別された硬貨が第２通路４０ｂに搬送される。第２通路４０ｂでは、選別口５４が開かれている。よって、第２通路４０ｂに至った硬貨は、選別口５４から落下して収納袋１６に収納される。選別モードと同様、リジェクト硬貨は、第１振分機構３７で振り分けられてリジェクト硬貨収納箱に収納される。
【００５５】
図３は、装着部１７を構成する上保持部１８の斜視図である。
【００５６】
上保持部１８は、四角形の枠体１００内に、装着部１７に装着された収納袋１６の収納口を閉じるための封止機構１１０を備える。枠体１００は、前面板１０１と、後面板１０２と、左側面板１０３と、右側面板１０４とにより構成される。前面板１０１と後面板１０２には、左右方向に延びる細長いガイド孔１０５が形成される。左側面板１０３と右側面板１０４の上端には、フランジ部１０６が形成される。フランジ部１０６は、上保持部１８が装着部カバー２１内に収容された際に、装着部カバー２１のレール２３に載せられ、レール２３上を移動する。
【００５７】
封止機構１１０は、固定封止部材１２０と、可動封止部材１３０と、Ｘ字型のリンク機構１４０と、取付部材１５０とを含む。固定封止部材１２０、可動封止部材１３０および取付部材１５０は、前面板１０１と後面板１０２との間に跨る長さを有する。固定封止部材１２０は、枠体１００内の右端、即ち右側面板１０４の内側に固定される。固定封止部材１２０の上面には、前側と後側に２つの突起１２１が設けられる。可動封止部材１３０は、左右方向に移動可能に枠体１００内に固定される。即ち、可動封止部材１３０の前端部と後端部にシャフト１３１が設けられ、このシャフト１３１が、前面板１０１と後面板１０２のガイド孔１０５に嵌め込まれ、可動封止部材１３０の移動に合わせてガイド孔１０５内を移動する。可動封止部材１３０の上面には、固定封止部材１２０の２つの突起１２１と前後方向において同じ位置に、２つの突起１３２が設けられる。リンク機構１４０は、十字に組まれた第１アーム１４１および第２アーム１４２を含み、可動封止部材１３０と取付部材１５０に連結される。取付部材１５０は、枠体１００内の左端、即ち左側面板１０３の内側に固定される。
【００５８】
リンク機構１４０において、第１アーム１４１の一端側の軸１４１ａが、可動封止部材１３０に形成されたスリット状のガイド孔１３３に移動可能に嵌め込まれ、第２アーム１４２の一端側の軸１４２ａが、取付部材１５０に形成されたスリット状のガイド孔１５１に移動可能に嵌め込まれる。また、第１アーム１４１の他端側の軸１４１ｂが取付部材１５０に形成された孔１５２に回転可能に嵌め込まれ、第２アーム１４２の他端側の軸１４２ｂが、可動封止部材１３０に形成された孔１３４に回転可能に嵌め込まれる。
【００５９】
リンク機構１４０は、リンク駆動部（後述する）により、第２アーム１４２の一端側の軸１４２ａを取付部材１５０のガイド孔１５１内で移動させることにより、左右方向に伸縮させることができる。リンク機構１４０が伸びると、可動封止部材１３０が固定封止部材１２０に当接できる位置まで左方向に移動する。リンク機構１４０が縮むと、可動封止部材１３０が右方向へ移動し、元の位置に戻る。
【００６０】
図４は、収納袋１６の構成を示す斜視図である。
【００６１】
収納袋１６は、透明、半透明または色つきのビニル樹脂（ポリエチレン、ポリオレフィン）等により形成される袋本体２００を備える。袋本体２００の上端部は、収納口２０１として開口する。袋本体２００には、収納口２０１の近傍のほぼ半面に、粘着剤が塗られた帯状の粘着面２０２が形成される。粘着面２０２には、剥離紙２０３が取り付けられる。収納口２０１には、封止機構１１０の固定封止部材１２０の突起１２１および可動封止部材１３０の突起１３２に引っ掛けられる４つのタブ２０４が形成される。タブ２０４には、突起１２１、１３２が挿入される孔２０５が形成される。
【００６２】
図５は、プリンタ２４の構成を示す概略図である。図５では、筐体１０内の収容された状態の装着部１７の図示が省略されている。
【００６３】
プリンタ２４は、レシート用紙３１０に印字を行う印字ユニット３２０を備える。レシート用紙３１０は、その表面が印刷面とされ、ロール状に巻かれる。
【００６４】
印字ユニット３２０は、用紙収容部３２１と、印字ヘッド３２２と、プラテンローラ３２３と、押さえローラ３２４と、カッター３２５とを含む。印字ヘッド３２２は、たとえば、プリンタ２４が感熱式である場合、サーマルヘッドとされる。ロール状のレシート用紙３１０が用紙収容部３２１に収容されて、レシート用紙３１０の先端部分が印字ヘッド３２２とプラテンローラ３２３との間に挟み込まれる。レシート用紙３１０は、印字ヘッド３２２とプラテンローラ３２３との間に適正に向かうよう、押さえローラ３２４により押さえられる。プラテンローラ３２３が回転すると、レシート用紙３１０が印字ヘッド３２２とプラテンローラ３２３との間を通って排出口２４ｃの上方位置へと送り出され、この際に、印字ヘッド３２２によりレシート用紙３１０の印字面に印字が行われる。印字後のレシート用紙３１０が排出口２４ｃの上方位置へ達すると、カッター３２５によってレシート用紙３１０が切断され、図５の破線に示すような、所定サイズのレシート用紙３１０ａ（以下、「レシート３１０ａ」と称する）が出来上がる。カッター３２５の後方には、レシート３１０ａを排出口２４ｃへと導くガイド部材３２６が設けられており、ガイド部材３２６に導かれたレシート３１０ａが、排出口２４ｃから下方に排出される。排出口２４ｃは、装着部１７において開口する収納袋１６の収納口２０１の真上に位置する。このため、排出口２４ｃから排出されたレシート３１０ａは、収納袋１６の中に入る。
【００６５】
印字ユニット３２０は、計数モードの処理において、収納袋１６に収納された硬貨の在高情報（金種別の硬貨の枚数等）を、レシート用紙３１０に印字する。在高情報が印字されたレシート３１０ａが排出口２４ｃに排出され、収納袋１６の中に収納される。
【００６６】
図６は、硬貨処理装置１の構成を示すブロック図である。
【００６７】
硬貨処理装置１は、上記の構成に加えて、円盤駆動部４０１と、第１ベルト駆動部４０２と、第２ベルト駆動部４０３と、第１レバー駆動部４０４と、第２レバー駆動部４０５と、開閉板駆動部４０６と、リンク駆動部４０７と、ロック装置４０８と、制御部４０９と、記憶部４１０とを備える。
【００６８】
円盤駆動部４０１は、投入部２７に含まれ、回転円盤３０を回転させる。第１ベルト駆動部４０２は、第１搬送ベルト機構３５に含まれ、第１プーリ４４または第２プーリ４５を回転させて搬送ベルト４６を周回させる。第２ベルト駆動部４０３は、第２搬送ベルト機構３６に含まれ、第１プーリ４７または第２プーリ４８を回転させて搬送ベルト４９を周回させる。第１レバー駆動部４０４は、第１振分機構３７に含まれ、レバー５１を回動させる。第２レバー駆動部４０５は、第２振分機構３８に含まれ、レバー５６を回動させる。開閉板駆動部４０６は、開閉板３９を回動させる。リンク駆動部４０７は、封止機構１１０に含まれ、ラックピニオン方式等の駆動方式によりリンク機構１４０の第２アーム１４２の軸１４２ａを移動させ、リンク機構１４０を伸縮させる。ロック装置４０８は、装着部１７が引き出せないように、装着部カバー２１に対して扉２２をロックする。
【００６９】
制御部４０９は、ＣＰＵ（Central Processing Unit）等の演算回路を備える。制御部４０９は、記憶部４１０に記憶された動作プログラムに従って、表示部２５、操作部２６、識別部２９、通過検知センサ５３、５８、印字ユニット３２０、円盤駆動部４０１、第１ベルト駆動部４０２、第２ベルト駆動部４０３、第１レバー駆動部４０４、第２レバー駆動部４０５、開閉板駆動部４０６、リンク駆動部４０７、ロック装置４０８等を制御する。また、記憶部４１０は、ＲＯＭ（Read Only Memory）、ＲＡＭ（Random Access Memory）やハードディスク等の記憶媒体を備え、制御部４０９の動作プログラムを記憶し、また、制御部４０９の制御処理の際にワーク領域として利用される。
【００７０】
次に、計数モードの処理について、詳細に説明する。
【００７１】
図７（ａ）は、計数モードの処理に係る制御動作を示すフローチャートである。図７（ｂ）は、在高情報等の情報が印字されたレシート３１０ａの一例を示す図である。図８（ａ）〜（ｅ）は、計数モードの処理の流れについて説明するための図である。なお、図８（ａ）〜（ｅ）では、便宜上、筐体１０、装着部カバー２１およびプリンタ２４が透明に描かれている。
【００７２】
計数モードの処理が行われる際、まず、操作者は、図８（ａ）に示すように、筐体１０（収容部１５）から装着部１７を引き出し、収納袋１６を装着部１７に装着する。このとき、操作者は、収納袋１６の４つのタブ２０４を固定封止部材１２０と可動封止部材１３０の４つの突起１２１、１３２に引っ掛けるようにして、収納袋１６の収納口２０１を固定封止部材１２０と可動封止部材１３０に保持させる。操作者は、収納袋１６の粘着面２０２から剥離紙２０３を剥がした後、図８（ｂ）に示すように、収納袋１６が装着された装着部１７を筐体１０内に戻す。
【００７３】
操作者は、収納袋１６に収納する硬貨をホッパー１１に投入した後、モード選択ボタン２６ａを操作して計数モードを選択し、スタートボタン２６ｂを操作する。これにより、計数モードの処理が開始される。
【００７４】
図７（ａ）を参照して、制御部４０９は、ロック装置４０８にロック動作を行わせ、扉２２をロックする（Ｓ１）。これにより、装着部１７が筐体１０から引き出せなくなる。次に、制御部４０９は、投入部２７から硬貨を排出させて搬送部２８により搬送し、収納袋１６に収納させる（Ｓ２）。この際、制御部４０９は、識別部２９により金種毎に硬貨の計数を行い、計数結果、即ち、収納袋１６に収納された硬貨の在高情報（金種毎の枚数等）を表示部２５に表示させる。
【００７５】
収納袋１６への硬貨の収納が完了すると、制御部４０９は、完了ボタン２６ｃによる完了操作を待つ（Ｓ３）。操作者は、表示部２５の計数結果を確認するなどし、問題がなければ、完了ボタン２６ｃを操作する。
【００７６】
完了操作がなされると（Ｓ３：ＹＥＳ）、制御部４０９は、プリンタ２４の印字ユニット３２０を動作させ、収納袋１６に収納された硬貨の在高情報をレシート用紙３１０に印字させる（Ｓ４）。図８（ｃ）に示すように、在高情報が印字されたレシート３１０ａが、プリンタ２４の排出口２４ｃから排出され、収納口２０１を通じて収納袋１６に収納される。図７（ｂ）に示すように、レシート３１０ａには、在高情報として、金種毎の硬貨の枚数と金額および合計金額が記される他、硬貨が収納袋１６に収納された収納日時と硬貨処理装置１が設置された店舗の店番号が記される。
【００７７】
次に、制御部４０９は、封止機構１１０を動作させ、収納袋１６の収納口２０１を封じさせる（Ｓ５）。図８（ｄ）のように、リンク機構１４０が伸びて可動封止部材１３０が固定封止部材１２０に押し付けられ、収納口２０１が可動封止部材１３０と固定封止部材１２０との間に挟まれる。収納口２０１が閉じられ、粘着面２０２により接着される。これにより、収納袋１６の収納口２０１が封止される。
【００７８】
次に、制御部４０９は、ロック装置４０８に解除動作を行わせ、扉２２のロックを解除する（Ｓ６）。これにより、装着部１７が筐体１０から引き出せるようになる。こうして、計数モードの処理が終了する。
【００７９】
図８（ｅ）に示すように、操作者は、装着部１７を筐体１０から引き出し、装着部１７から収納袋１６を取り外す。収納袋１６の中には、硬貨とともに、その硬貨に係る在高情報が印字されたレシート３１０ａが収納された状態となる。
【００８０】
収納袋１６は回収された後に回収先の施設で開封され、収納袋１６から硬貨が取り出される。この際、回収先の作業員は、収納袋１６に収納されたレシート３１０ａを取り出し、そのレシート３１０ａに印字された在高情報を見ることで、収納された硬貨の在高を把握することが可能となる。
【００８１】
＜実施形態の効果＞
本実施形態によれば、以下の効果が奏され得る。
【００８２】
計数モードの処理が行われて投入部２７に投入された硬貨が収納袋１６に収納される際、印字ユニット３２０よって、レシート用紙３１０に収納袋１６に収納された硬貨の在高情報が印字され、在高情報が印字されたレシート３１０ａが排出口２４ｃを通じて収納袋１６の中に排出される。これにより、収納袋１６の回収先では、作業員が、収納袋１６に収納されたレシート３１０ａを取り出し、そのレシート３１０ａに印字された在高情報を見ることで、収納された硬貨の在高を把握できる。
【００８３】
しかも、平面体であるレシート用紙３１０に在高情報が印字されるので、立体物である収納袋１６に在高情報が直接印字される場合と違って、技術的な難易度は高くなく、印字ユニット３２０の構造が複雑にならない。よって、硬貨処理装置１のコスト増加やサイズ増加を招きにくい。
【００８４】
また、プリンタ２４、即ち印字ユニット３２０は、装着部カバー２１の上、即ち、装着部１７の近傍の上方位置に設けられている。これにより、収納袋１６までの排出口２４ｃを通じたレシート３１０ａの排出経路を短くできるので、レシート３１０ａが排出経路の途中で詰まる等の排出不良が生じにくい。
【００８５】
さらに、収納袋１６に硬貨が収納された後に、封止機構１１０によって収納袋１６の収納口２０１が封止されるので、収納袋１６から硬貨が不所望に取り出されにくくなる。しかも、収納袋１６の中にレシート３１０ａが収納された後に収納口２０１が封止されるので、レシート３１０ａを収納袋１６の中へ確実に収納させることができ、また、収納袋１６の中のレシート３１０ａが不所望に取り出されにくくなる。
【００８６】
以上、本発明の実施形態について説明したが、本発明は、上記実施形態によって何ら制限されるものではなく、また、本発明の実施形態も、上記以外に種々の変更が可能である。
【００８７】
＜変更例１＞
図９（ａ）は、変更例１に係る、収納袋１６の構成を示す斜視図である。図９（ｂ）は、変更例１に係る、計数モードの処理において、収納袋１６のレシート収納部２０８にレシート３１０ａが収納された状態を示す図である。
【００８８】
図９（ａ）に示すように、本変更例では、収納袋１６の袋本体２００内に、収納口２０１の近傍から下斜め方向に延びるように配置された仕切２０６が設けられる。袋本体２００の内部は、仕切２０６によって、硬貨が収納される硬貨収納部２０７と、レシート３１０ａが収納されるレシート収納部２０８に区画される。なお、硬貨収納部２０７が、特許請求の範囲に記載の「貨幣収納部」に対応し、レシート収納部２０８が、特許請求の範囲に記載の「用紙収納部」に対応する。
【００８９】
そして、本変更例では、図７（ａ）の計数モードの処理のＳ５において、収納袋１６に収納された硬貨の在高情報がレシート用紙３１０に印字されたとき、図９（ｂ）に示すように、在高情報が印字されたレシート３１０ａは、排出口２４ｃから排出されて、収納袋１６のレシート収納部２０８に収納される。なお、搬送部２８により搬送されて選別口５４へ落下した硬貨は、収納袋１６の硬貨収納部２０７へ収納される。
【００９０】
このように、本変更例では、収納袋１６の内部において、レシート３１０ａが硬貨と分かれて収納されるので、レシート３１０ａが硬貨の中に埋もれて見つかりにくくなったり、レシート３１０ａが硬貨に揉まれ、破損や印字のかすれ等が生じたりする、ということが防止される。
【００９１】
なお、レシート３１０ａが収納される際にレシート収納部２０８が十分に拡がった状態となるよう、レシート収納部２０８を拡がった状態に保持する保持部材が、装着部１７に設けられてもよい。この場合、保持部材は、収納袋１６の収納口２０１が封止されるときには、封止作業の邪魔にならないよう、レシート収納部２０８から離れるような構成とされ得る。
【００９２】
＜その他の変更例＞
上記実施形態では、投入部２７に投入された一つの取引分の硬貨が、収納袋１６に収納されると、収納袋１６の収納口２０１が封止された。よって、一つの収納袋１６には、一つの取引分の硬貨のみが収納された。しかしながら、一つの取引分の硬貨が収納袋１６に収納されても収納口２０１が封止されず、次に投入部２７に投入された新たな取引分の硬貨も同じ収納袋１６に収納されるような構成が採られてもよい。この場合、操作部２６には、現在の収納袋１６への硬貨の収納を終了させる指示を行うための終了ボタンが設けられる。そして、複数の取引分の硬貨が収納袋１６に収納された後に、終了ボタンが操作されると、在高情報のレシート印字が行われ、収納袋１６の収納口２０１が封止される。図１０に示すように、プリンタ２４から出力されるレシート３１０ａには、取引毎に在高情報（金種別の枚数および金額）が表示される。また、取引毎にレシート３１０ａを複数枚出力することとしてもよい。
【００９３】
また、レシート用紙３１０、即ちレシート３１０ａに印字される情報には、上記実施形態に示された在高情報、収納日時および店番号以外の情報が含まれてもよい。たとえば、操作者のＩＤ、硬貨処理装置１に付された装置番号が含まれてもよい。また、レシート用紙３１０（レシート３１０ａ）に、在高情報として、金種別の枚数や合計金額等を示すバーコードやＱＲコード（登録商標）が印字されてもよい。
【００９４】
さらに、上記実施形態において、プリンタ２４とは別に、筐体１０の外部にレシートを排出するプリンタが設けられ、そのプリンタからレシート３１０ａと同じ内容のレシートが排出されるようにしてもよい。この場合、操作者は、別のプリンタから排出されたレシートを控え用紙として保管できる。
【００９５】
さらに、上記実施形態では、プリンタ２４（印字ユニット３２０）が装着部１７の近傍の上方位置に設けられた。しかしながら、プリンタ２４は、装着部１７から離れた位置、たとえば、筐体１０の天面に設けられてもよい。この場合、たとえば、プリンタ２４の排出口２４ｃから装着部１７に装着された収納袋１６の真上に向かって延びるシュートが設けられる。プリンタ２４から排出されたレシート３１０ａは、シュートを通り、シュートの排出口から排出されて収納袋１６に収納される。
【００９６】
さらに、上記実施形態では、図７（ａ）の計数モードの処理において、収納袋１６への硬貨の収納が完了し、完了操作がなされると（Ｓ３：ＹＥＳ）、制御部４０９は、封止機構１１０を動作させ、収納袋１６の収納口２０１を封じさせた（Ｓ４）。しかしながら、完了操作がなされると（Ｓ３：ＹＥＳ）、制御部４０９が、装着部１７を前方に引出すことができるようにロックを解除し、操作者が装着部１７を引き出すと、その引出動作に連動して封止機構１１０が動作し、収納袋１６の収納口２０１が封じられることとしてもよい。
【００９７】
さらに、上記実施形態では、収納袋１６の収納口２０１が粘着面２０２による接着によって封止された。しかしながら、収納袋１６の収納口２０１がヒートシールによって封止されるような構成が採られてもよい。この場合、固定封止部材１２０と可動封止部材１３０には、互いに当接する面にヒートシール用のヒータが設けられる。固定封止部材１２０と可動封止部材１３０と間に収納口２０１がはさみ込まれた状態でヒータに通電されると、収納口２０１の部分が溶着する。これにより、収納袋１６の収納口２０１が封止される。
【００９８】
さらに、上記実施形態では、装着部１７に収納袋１６が装着された。しかしながら、装着部１７に装着される収納部として、収納袋１６でなく、箱型の回収カセットが用いられてもよい。
【００９９】
さらに、上記実施形態では、硬貨処理装置１（筐体１０）にプリンタ２４が一体的に設けられた。しかしながら、硬貨処理装置１（筐体１０）から独立してプリンタ２４が設けられ、このプリンタ２４が通信ケーブルを介して硬貨処理装置１に接続されるような構成とされてもよい。また、通信ケーブルがなく、プリンタ２４と硬貨処理装置１が無線通信を行うような構成とされてもよい。この場合、プリンタ２４と硬貨処理装置１とを合わせたものを、硬貨処理システムと称することができる。この硬貨処理システムは、本発明の硬貨処理システムの一実施形態となり得る。
【０１００】
さらに、上記実施形態では、硬貨処理装置１は、硬貨を金種により選別し金種別硬貨収納箱１３に収納する機能と、硬貨を計数して収納袋１６に収納する機能とを有する、いわゆる硬貨計数機であった。しかしながら、硬貨処理装置１は、硬貨を計数して収納袋等の収納部に収納する機能に加え、硬貨を入出金する機能を有する、いわゆる硬貨入出金機であってもよい。
【０１０１】
さらに、上記実施形態では、計数モードの処理において、搬送された硬貨は選別口５４から落下して収納袋１６に収納されることとした。しかしながら、一時保留部を設け、選別口５４から落下した硬貨を一旦保留させることとしてもよい。この場合、完了操作がなされると、制御部４０９は、一時保留部に保留した硬貨を収納袋１６に収納させ、レシート３１０ａを収納袋１６の中に収納した後、収納口２０１を封じさせる。
【０１０２】
さらに、上記実施形態では、取り扱われる貨幣が硬貨である硬貨処理装置１に本発明が適用される例が示された。しかしながら、本発明は、取り扱われる貨幣が紙幣であり、装着部に取り外し可能に紙幣を収納する収納部が装着される紙幣処理装置または紙幣処理システムに適用することもできる。
【０１０３】
この他、本発明の実施形態は、特許請求の範囲に記載の範囲で適宜変更可能である。
【符号の説明】
【０１０４】
１  硬貨処理装置（貨幣処理装置）
１６  収納袋（収納部）
１７  装着部
２４  プリンタ
２４ｃ  排出口（排出部）
２７  投入部
２８  搬送部
１１０  封止機構（封止部）
２０１  収納口
２０７  硬貨収納部（貨幣収納部）
２０８  レシート収納部（用紙収納部）
３１０  レシート用紙（印字用紙）
３２０  印字ユニット（印字部）
４０９  制御部
【図１】
2020057234.tif 000003
【図２】
2020057234.tif 000004
【図３】
2020057234.tif 000005
【図４】
2020057234.tif 000006
【図５】
2020057234.tif 000007
【図６】
2020057234.tif 000008
【図７】
2020057234.tif 000009
【図８】
2020057234.tif 000010
【図９】
2020057234.tif 000011
【図１０】
2020057234.tif 000012